(57)【要約】【課題】電気瞬間湯沸器の設置時においても作業者が水に濡れることなく、設置性のよい電気瞬間湯沸器を提供すること。【解決手段】本発明の電気瞬間湯沸器は、出力可変の熱源２を内部に有するタンク１と、前記タンクに入水する湯水の温度を検出する入水温度検出手段６と、湯水を外部へ吐出する吐出口１０と、タンク１から吐出口１０へ供給する湯水の温度を検出する出湯温度検出手段７とを備え、入水温度検出手段６で検出される入水温度と、出湯温度検出手段７で検出される出湯温度と、熱源２の出力に基づいて、吐出口１０から外部へ吐出される湯水の流量を算出するとともに、吐出口１０から吐出される湯水の流量を表示する表示手段８を備える。【選択図】図１
2010266113.tif 000002
【特許請求の範囲】
【請求項１】
出力可変の熱源を内部に有するタンクと、前記タンクに入水する湯水の温度を検出する入水温度検出手段と、湯水を外部へ吐出する吐出口と、前記タンクから前記吐出口へ供給する湯水の温度を検出する出湯温度検出手段とを備え、前記入水温度検出手段で検出される入水温度と、前記出湯温度検出手段で検出される出湯温度と、前記熱源の出力に基づいて、前記吐出口から外部へ吐出される湯水の流量を算出するとともに、前記吐出口から吐出される湯水の流量を表示する表示手段を備えたことを特徴とする電気瞬間湯沸器。
【請求項２】
出力可変の熱源を内部に有するタンクと、前記タンクに入水する湯水の温度を検出する入水温度検出手段と、湯水を外部へ吐出する吐出口と、前記タンクから前記吐出口へ供給する湯水の温度を検出する出湯温度検出手段とを備え、前記入水温度検出手段で検出される入水温度と、前記出湯温度検出手段で検出される出湯温度と、前記熱源の出力に基づいて、前記吐出口から外部へ吐出される湯水の流量を算出するとともに、前記吐出口から吐出される湯水の流量が所定流量以上になったときに点灯する点灯表示手段を備えたことを特徴とする電気瞬間湯沸器。
【発明の詳細な説明】
【技術分野】
【０００１】
本発明は、給湯シャワー等に使用される電気瞬間湯沸器に関するものである。
【背景技術】
【０００２】
従来この種の電気瞬間湯沸器は、機器内に加熱手段としてシーズヒータを有し、シーズヒータで湯水を加熱して、加熱した温水をシャワーヘッドを介して使用者に提供するものがある（例えば、特許文献１参照）。
【０００３】
図２は、従来の電気瞬間湯沸器を示すものである。図２で示すように、従来の電気瞬間湯沸器は、水を加熱するヒ−タユニット１０１、電気エネルギを熱エネルギに変換する加熱手段１０２（シーズヒータ）、漏電検出装置１０３、制御装置１０４、電力制御手段１０５、出湯温度検出装置１０７、水入り口１０９、湯出口１１０、お湯を通すシャワーホース１１１、お湯が出るシャワーヘッド１１２、シャワープレート１１３、本体外郭１１４から構成されている。
【０００４】
また制御装置１０４は、出湯温度検出装置１０７の入力信号を受けて、設定温度になるように電力制御手段１０５に信号を調整し、シャワープレート１１３から出るシャワー温度が一定になるように制御していた。
【０００５】
このような電気瞬間湯沸器の設置時には、図３に示す方法でシャワーの最大流量を調整していた。つまり、図３に示すように、シャワーヘッド１１２を床に置き、シャワープレート１１３から出た水の高さＨが一定になるように、元バルブ１１５の位置を調整して、加熱手段１０２へ供給する湯水の流量を調節していた。
【先行技術文献】
【特許文献】
【０００６】
【特許文献１】特開２００１−３４９６２１号公報
【発明の概要】
【発明が解決しようとする課題】
【０００７】
しかしながら、前記従来の電気瞬間湯沸器においては、設置時の元バルブ調整（最大流量調整）は、シャワーヘッドを床に置いて、シャワープレートからの最大到達する水の高さを測定しながら行っており、バルブ調整と高さ測定でそれぞれ人手が必要なので、手間が掛かり、また、シャワーヘッドから飛び散った水で、高さを測定する人は水に濡れてしまうという課題を有していた。
【０００８】
本発明は前記従来の課題を解決するもので、電気瞬間湯沸器の設置時においても作業者が水に濡れることなく、設置性のよい電気瞬間湯沸器を提供することを目的とするものである。
【課題を解決するための手段】
【０００９】
前記従来の課題を解決するために、本発明の電気瞬間湯沸器は、出力可変の熱源を内部に有するタンクと、前記タンクに入水する湯水の温度を検出する入水温度検出手段と、湯水を外部へ吐出する吐出口と、前記タンクから前記吐出口へ供給する湯水の温度を検出する出湯温度検出手段とを備え、前記入水温度検出手段で検出される入水温度と、前記出湯温度検出手段で検出される出湯温度と、前記熱源の出力に基づいて、前記吐出口から外部へ吐出される湯水の流量を算出するとともに、前記吐出口から吐出される湯水の流量を表
示する表示手段を備えたことにより、設置する作業者は、濡れる事無く、表示された流量を見ながら元バルブを調節する事が出来るので、非常に設置性が良い。
【００１０】
また、本発明の電気瞬間湯沸器は、出力可変の熱源を内部に有するタンクと、前記タンクに入水する湯水の温度を検出する入水温度検出手段と、湯水を外部へ吐出する吐出口と、前記タンクから前記吐出口へ供給する湯水の温度を検出する出湯温度検出手段とを備え、前記入水温度検出手段で検出される入水温度と、前記出湯温度検出手段で検出される出湯温度と、前記熱源の出力に基づいて、前記吐出口から外部へ吐出される湯水の流量を算出するとともに、前記吐出口から吐出される湯水の流量が所定流量以上になったときに点灯する点灯表示手段を備えたことにより、点灯表示手段が点灯すれば、どれくらいの流量が流れているのかを設置作業者は把握することができ、濡れる事無く、元バルブを調節する事が出来るので、非常に設置性が良い。
【発明の効果】
【００１１】
本発明は、電気瞬間湯沸器の設置時においても作業者が水に濡れることなく、設置性のよい電気瞬間湯沸器を提供することができる。
【図面の簡単な説明】
【００１２】
【図１】本発明の実施の形態１における電気瞬間湯沸器の構成図
【図２】従来の電気瞬間湯沸器の構成図
【図３】従来の電気瞬間湯沸器の設置作業図
【発明を実施するための形態】
【００１３】
第１の発明の電気瞬間湯沸器は、出力可変の熱源を内部に有するタンクと、前記タンクに入水する湯水の温度を検出する入水温度検出手段と、湯水を外部へ吐出する吐出口と、前記タンクから前記吐出口へ供給する湯水の温度を検出する出湯温度検出手段とを備え、前記入水温度検出手段で検出される入水温度と、前記出湯温度検出手段で検出される出湯温度と、前記熱源の出力に基づいて、前記吐出口から外部へ吐出される湯水の流量を算出するとともに、前記吐出口から吐出される湯水の流量を表示する表示手段を備えたことにより、設置する作業者は濡れる事無く、表示された流量を見ながら元バルブを調節する事が出来るので、非常に設置性が良い。
【００１４】
第２の発明の電気瞬間湯沸器は、出力可変の熱源を内部に有するタンクと、前記タンクに入水する湯水の温度を検出する入水温度検出手段と、湯水を外部へ吐出する吐出口と、前記タンクから前記吐出口へ供給する湯水の温度を検出する出湯温度検出手段とを備え、前記入水温度検出手段で検出される入水温度と、前記出湯温度検出手段で検出される出湯温度と、前記熱源の出力に基づいて、前記吐出口から外部へ吐出される湯水の流量を算出するとともに、前記吐出口から吐出される湯水の流量が所定流量以上になったときに点灯する点灯表示手段を備えたことにより、点灯表示手段が点灯すれば、どれくらいの流量が流れているのかを設置作業者は把握することができ、濡れる事無く、元バルブを調節する事が出来るので、非常に設置性が良い。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における電気瞬間湯沸器の構成図を示すものである。図１において、本発明の電気瞬間湯沸器は、筐体１４を有し、電気エネルギを熱エネルギに変換する熱源である加熱手段２を内部に有するタンク１を備えており、加熱手段２は出力を変更することができるシーズヒータで構成されている。そしてマイクロコンピュー
タおよびその周辺回路で構成される制御手段４および電力制御手段５を備えており、制御手段４および電力制御手段５で、加熱手段２の出力をコントロールしている。さらに漏電を検出する漏電検出手段３を筐体１４の内部に設けている。
【００１７】
また、給水配管２０の給水口９は給水源に接続されており、給水配管２０を通して給水源からタンク１へ水を供給している。また、給水配管２０には給水源からの湯水の流量を調節する元バルブ１５が設けられており、元バルブ１５を調節することで湯水の流量が調節できるようになっている。
【００１８】
また、タンク１へ給水される湯水の温度を検出する入水温度検出手段であるサーミスタ６と、タンク１には加熱手段２で温められシャワー等の給湯端末へ出湯する湯水の温度を検出する出湯温度検出手段であるサーミスタ７が設けられている。なお、本実施の形態ではサーミスタ７をタンク１内の湯水の温度を検出して出湯温度としたが、これに限定されることはなく、例えば、タンク１から出湯する出湯管に設けてもよい。
【００１９】
また、タンク１からシャワー等の給湯端末へ出湯する出湯管２１が設けられており、出湯管２１の他端部の吐出口１０にはシャワーホース１１が接続され、シャワーホース１１の他端部にはシャワーヘッド１２が接続され、シャワーヘッド１２に取り付けられているシャワープレート１３を介して湯水が出湯し、使用者がシャワー浴を楽しむことができる。
【００２０】
また、現在のシャワー流量を表示する表示手段８が設けられており、現在どれくらいのシャワー流量であるかを使用者が確認することができる。
【００２１】
以上のように構成された電気瞬間湯沸器について、以下その動作・作用を説明する。
【００２２】
まず、使用者がシャワーを使用するときには、給水口９から供給された湯水が、タンク１へ供給され、タンク１内で加熱手段２によって加熱される。そして加熱された温水は出湯管２１を経て、シャワーホース１１、シャワーヘッド１２を経由し、シャワープレート１３から使用者へ向けて湯が吐出される。
【００２３】
シャワー温度は、使用者が好みの設定温度に設定することができ、制御手段４にサーミスタ７で検出した温度がフィードバックされて、サーミスタ７で検出する温度が設定した設定温度となるように、加熱手段２の出力が調節される。すなわち、サーミスタ７で検出する温度が設定温度よりも高い場合には、加熱手段２の出力を低減し、サーミスタ７で検出する温度が設定温度よりも低い場合には、加熱手段２の出力を上げるように電力制御手段５へ信号をおくって調節する。
【００２４】
この時、タンク１へ供給される湯水の温度Ｔｉをサーミスタ６で検出し、タンク１から出湯する湯水の温度Ｔｏをサーミスタ７で検出している。そして入水温度Ｔｉ（℃）および出湯温度Ｔｏ（℃）、加熱手段２の出力Ｘ（ｋｗ）に基づいて瞬時のシャワー流量を算出している。シャワー流量Ｙは、Ｙ（Ｌ／ｍｉｎ）＝（Ｘ×８６０）／（（Ｔｏ−Ｔｉ）×６０）で算出され、算出された流量Ｙを表示手段８へ表示させる。
【００２５】
つまり、本実施の形態の電気瞬間湯沸器は、表示手段８へシャワー流量を表示することができるので、設置時にはシャワーヘッドを上向きにして高さを計る必要がなく、その結果、設置する作業者は濡れる事無く、表示された流量を見ながら元バルブを調節する事が出来るので、非常に設置性が良いものとなっている。
【００２６】
さらに、現在の流量を表示させることで、使用者への節水意識を促すことができ、非常
に経済性の高い電気瞬間湯沸器を提供することができる。
【００２７】
また、本実施の形態では、流量を表示手段８へ表示させる方法としたが、シャワー流量Ｙが所定流量αを超えたときに点灯し、所定流量αに満たない場合には消灯する点灯表示手段（図示せず）を設けてもよい。つまり設置作業者は、点灯表示手段が点灯するまで元バルブ１５を調節してタンク１へ供給する湯水の流量を調節すればよく、流量を表示する構成にしなくとも設置作業者は濡れることなく元バルブ１５の調節をすることができる。なお、所定流量αには、設置する時に必要な流量を予め設定しておけばよい。
【００２８】
また、所定流量αは使用者が設定変更可能に構成していてもよい。設置後に所定流量αを設定変更可能に構成していると、使用者自身が節水を意識した電気瞬間湯沸器にすることができ、使用者が自ら決めた目標値を設定することで、目標値を超えるような湯水を使用することがなく、非常に経済性の高い電気瞬間湯沸器を提供することができる。
【産業上の利用可能性】
【００２９】
以上のように、本発明の電気瞬間湯沸器は設置作業性が向上するだけでなく、使用者への節水意識を促すこともできる。
【符号の説明】
【００３０】
１  タンク
２  加熱手段
３  漏電検出手段
４  制御手段
５  電力制御手段
６  入水温度検出手段
７  出湯温度検出手段
８  表示手段
９  給水口
１０  吐出口
１１  シャワーホース
１２  シャワーヘッド
１３  シャワープレート
１４  筐体
２０  給水配管
２１  出湯管
【図１】
2010266113.tif 000003
【図２】
2010266113.tif 000004
【図３】
2010266113.tif 000005